(57)【要約】      （修正有）【課題】色の原理を直感的に提示する色提示装置、混合色提示システムを提供する。【解決手段】混合色提示システム１は、２つの色提示装置１０Ａ，１０Ｂにより構成され、２つの色提示装置１０Ａ，１０Ｂは、色提示装置１０Ａが赤色に発光し、色提示装置１０Ｂが青色に発光している。ユーザは、赤色に発光する色提示装置１０Ａと、青色に発光する色提示装置１０Ｂとを互いに接触させ、互いの接近を検知させる。接触させた操作に基づいて、色提示装置１０Ａ及び色提示装置１０Ｂは、自身の発色している色に相当する色情報を互いに送出し合うと共に、他の色提示装置から送出された色情報をそれぞれ取得する。次に、各色提示装置は、赤色と青色と２つの色情報に基づいて、赤色と青色との混色である赤紫色（マゼンタ）にそれぞれ発光する。【選択図】図１
2020021019.tif 000002
【特許請求の範囲】
【請求項１】
既定の色情報に対応する色を発色する発色部と、
色情報を外部から取得する取得部と、
前記発色部により発色している色に対応する色情報と、前記取得部により取得された色情報とに基づいて、変更先の色情報を決定する色決定部と、
前記色決定部により決定された色情報に従って、前記発色部により発色する色を変更させる色変更部と
を有する色提示装置。
【請求項２】
前記色決定部は、複数の色情報に基づいて、これらの色の混合色に相当する色情報を変更先に決定し、
前記色変更部は、決定された色情報に従って、前記混合色に変更させる
請求項１に記載の色提示装置。
【請求項３】
他の前記色提示装置と基準値以上に接近したことを検知する検知部と、
前記検知部により接近が検知された時を基準とした既定のタイミングで、前記発色部が発色する色の色情報を、外部に対して送出する送出部と
をさらに有し、
前記取得部は、前記検知部により接近が検知された時を基準とした既定のタイミングで、他の前記色提示装置から、色情報を受信する
請求項２に記載の色提示装置。
【請求項４】
前記色提示装置に対する物理的操作を検知する操作検知部と、
前記操作検知部により検知された物理的操作に基づいて、前記発色部が発色する色を決定する発色制御部と
をさらに有する
請求項３に記載の色提示装置。
【請求項５】
外部の色を測色する測色部
をさらに有し、
前記発色部は、前記測色部により測色された色を発色する
請求項３に記載の色提示装置。
【請求項６】
複数の色提示装置を含む混合色提示システムであって、
前記色提示装置は、
既定の色情報に対応する色を発色する発色部と、
色情報を外部から取得する取得部と、
前記発色部により発色している色に対応する色情報と、前記取得部により取得された色情報とに基づいて、変更先の色情報を決定する色決定部と、
前記色決定部により決定された色情報に従って、前記発色部により発色する色を変更させる色変更部と
を有する
混合色提示システム。
【請求項７】
既定の色情報に対応する色を発色するステップと、
色情報を外部から取得するステップと、
前記発色部により発色している色に対応する色情報と、前記取得部により取得された色情報とに基づいて、変更先の色情報を決定するステップと、
前記色決定部により決定された色情報に従って、前記発色部により発色する色を変更させるステップと
を有する混合色提示方法。
【請求項８】
既定の色情報に対応する色を発色させるステップと、
色情報を外部から取得するステップと、
前記発色部により発色している色に対応する色情報と、前記取得部により取得された色情報とに基づいて、変更先の色情報を決定するステップと、
前記色決定部により決定された色情報に従って、前記発色部により発色する色を変更させるステップと
をコンピュータに実行させるプログラム。
【発明の詳細な説明】
【技術分野】
【０００１】
本発明は、色提示装置、混合色提示システム、混合色提示方法、及びプログラムに関する。
【背景技術】
【０００２】
例えば、特許文献１には、バルーン（１）と，前記バルーン（１）の内部に収容された送受信器（３）付きＬＥＤ（５）と，前記ＬＥＤ（５）の送受信器（３）へ色指令に関する無線信号を出力する色指令装置（７）と，を有するバルーン照明システム（１０）であって，前記送受信器（３）付きＬＥＤ（５）は，加速度センサ（１３）を有し，前記ＬＥＤ（５）の送受信器（３）は，前記加速度センサ（１３）が観測した加速度に関する情報を，前記色指令装置（７）へ送信し，前記色指令装置（７）は，前記加速度に関する情報を受信し，前記加速度に基づいてＬＥＤ（５）の色を決定し，決定したＬＥＤ（５）の色に関する情報を前記ＬＥＤ（５）に送信し，前記ＬＥＤ（５）の送受信装置は，前記色指令装置（７）から送信されたＬＥＤ（５）の色に関する情報を受信して，前記ＬＥＤ（５）は，当該受信したＬＥＤ（５）の色に関する情報に基づいて色を変化させる，バルーン照明システム（１０）が開示されている。
【０００３】
また、特許文献２には第１装置と、第１装置とは別体の第２装置とを含み、第１装置は、自身の姿勢を検出する検出部と、検出された姿勢に関する情報を第２装置に送信する送信部と、を有し、第２装置は、第１装置からの送信された姿勢に関する情報を受信する受信部と、受信した姿勢に関する情報にしたがって制御される発光部と、を有する発光システムが開示されている。
【０００４】
また、特許文献３には、多面体形状の筐体本体と、前記筐体本体の少なくとも２面以上の外壁の表面に配置されたタッチ入力面と、前記タッチ入力面の背面側に配置され、点灯時には前記タッチ入力面を透過して外部から視認可能で、フルカラー発光可能な光源部と、前記タッチ入力面のタッチ操作に反応して前記光源部の点灯状態を制御する点灯制御回路と、を備えることを特徴とする発光機能付き筐体が開示されている。
【先行技術文献】
【特許文献】
【０００５】
【特許文献１】特開２０１１−１３０９７９号公報
【特許文献２】特開２０１１−２３９８５４号公報
【特許文献３】特開２０１５−１１８３９８号公報
【発明の概要】
【発明が解決しようとする課題】
【０００６】
本発明は、色の原理を直感的に提示する混合色提示システムを提供することを目的とする。
【課題を解決するための手段】
【０００７】
本発明に係る色提示装置は、既定の色情報に対応する色を発色する発色部と、色情報を外部から取得する取得部と、前記発色部により発色している色に対応する色情報と、前記取得部により取得された色情報とに基づいて、変更先の色情報を決定する色決定部と、前記色決定部により決定された色情報に従って、前記発色部により発色する色を変更させる色変更部とを有する。
【０００８】
好適には、前記色決定部は、複数の色情報に基づいて、これらの色の混合色に相当する色情報を変更先に決定し、前記色変更部は、決定された色情報に従って、前記混合色に変更させる。
【０００９】
好適には、他の前記色提示装置と基準値以上に接近したことを検知する検知部と、前記検知部により接近が検知された時を基準とした既定のタイミングで、前記発色部が発色する色の色情報を、外部に対して送出する送出部とをさらに有し、前記取得部は、前記検知部により接近が検知された時を基準とした既定のタイミングで、他の前記色提示装置から、色情報を受信する。
【００１０】
好適には、前記色提示装置に対する物理的操作を検知する操作検知部と、前記操作検知部により検知された物理的操作に基づいて、前記発色部が発色する色を決定する発色制御部とをさらに有する。
【００１１】
好適には、外部の色を測色する測色部をさらに有し、前記発色部は、前記測色部により測色された色を発色する。
【００１２】
また、本発明に係る混合色提示システムは、複数の色提示装置を含む混合色提示システムであって、前記色提示装置は、既定の色情報に対応する色を発色する発色部と、色情報を外部から取得する取得部と、前記発色部により発色している色に対応する色情報と、前記取得部により取得された色情報とに基づいて、変更先の色情報を決定する色決定部と、前記色決定部により決定された色情報に従って、前記発色部により発色する色を変更させる色変更部とを有する。
【００１３】
また、本発明に係る混合色提示方法は、既定の色情報に対応する色を発色するステップと、色情報を外部から取得するステップと、前記発色部により発色している色に対応する色情報と、前記取得部により取得された色情報とに基づいて、変更先の色情報を決定するステップと、前記色決定部により決定された色情報に従って、前記発色部により発色する色を変更させるステップとを有する。
【００１４】
また、本発明に係るプログラムは、既定の色情報に対応する色を発色させるステップと、色情報を外部から取得するステップと、前記発色部により発色している色に対応する色情報と、前記取得部により取得された色情報とに基づいて、変更先の色情報を決定するステップと、前記色決定部により決定された色情報に従って、前記発色部により発色する色を変更させるステップとをコンピュータに実行させる。
【発明の効果】
【００１５】
本発明によれば、色の原理を直感的に提示することができる。
【図面の簡単な説明】
【００１６】
【図１】混合色提示システム１の概要を説明する図である。
【図２】他の色提示装置１０の接近検知方法を例示する図である。
【図３】色提示装置１０のハードウエア構成を例示する図である。
【図４】色提示装置１０の機能構成を例示する図である。
【図５】加法混色を例示する図である。
【図６】混合色提示システム１における混合色提示処理（Ｓ１０）を説明するフローチャートである。
【図７】変形例１における他の色提示装置１０の接近検知方法を例示する図である。
【図８】変形例２における色提示装置１０の機能構成を例示する図である。
【図９】変形例２の色提示装置１０における測色入力処理（Ｓ３０）を説明するフローチャートである。
【図１０】変形例２の混合色提示システム１における測色入力混合色提示処理（Ｓ５０）を説明するフローチャートである。
【発明を実施するための形態】
【００１７】
まず、本発明がなされた背景を説明する。
光（色）は身近であるが、それほど原理を知られていない。例えば、虹の色の順序が決まっていることは一般的であるが、赤色と青色が混ざると何色になるかなどはそれほど意識されない。従来では、専門の書籍などにある加法混合の例や色度図などで学ぶことができるが、小さい子どもには直感的に理解することが難しかった。
そこで、本実施形態の混合色提示システム１では、加法混色又は減法混色の例や色度図などを使用することなく、実際に複数の色を混色する操作を行いながら色の原理を学習することができる。ここで、色の原理とは、色料の三原色と色光の三原色とを含み、本例では色光の三原色に基づく混色操作である。
【００１８】
次に、本発明の実施形態を、図面を参照して説明する。
図１は、混合色提示システム１の概要を説明する図である。
図１に例示するように、混合色提示システム１は、複数の色提示装置１０を有し、互いに異なる波長の光で発光している。本例の混合色提示システム１は、２つの色提示装置１０（色提示装置１０Ａ及び色提示装置１０Ｂ）により構成され、２つの色提示装置１０は、色提示装置１０Ａが赤色に発光し、色提示装置１０Ｂが青色に発光している。
まず、ユーザは、赤色に発光する色提示装置１０Ａと、青色に発光する色提示装置１０Ｂとを互いに接触させ、互いの接近を検知させる（詳しくは後述）。接触させた操作に基づいて、色提示装置１０Ａ及び色提示装置１０Ｂは、自身の発色している色に相当する色情報を互いに送出し合うと共に、他の色提示装置１０から送出された色情報をそれぞれ取得する。本例の色提示装置１０Ａは、色提示装置１０Ｂに対して赤色に相当する色情報を送出し、色提示装置１０Ｂから送出された青色に相当する色情報を取得する。また、色提示装置１０Ｂは、色提示装置１０Ａに対して青色に相当する色情報を送出し、色提示装置１０Ａから送出された赤色に相当する色情報を取得する。
次に、色提示装置１０Ａ及び色提示装置１０Ｂは、自身の発色している色情報と、取得した色情報とに基づいて、２つの色情報の混色である色を決定し、決定した混色に発光する。本例の各色提示装置１０は、赤色と青色と２つの色情報に基づいて、赤色と青色との混色である赤紫色（マゼンタ）にそれぞれ発光する。
このように、混合色提示システム１では、色提示装置１０Ａ及び色提示装置１０Ｂを互いに接触させる直感的な操作によって、色光の混色を発光させることができるシステムである。
【００１９】
（他の色提示装置１０の検知方法）
図２は、他の色提示装置１０の検知方法を例示する図である。
図２に例示するように、複数の色提示装置１０が物理的に接近したことを検知する検知方法として、磁気センサ［図２（Ａ）］、反射型センサ［図２（Ｂ）］、電波強度センサ［図２（Ｃ）］、又は、加速度センサ［図２（Ｄ）］等のセンサを、色提示装置１０に搭載することにより、互いに接近したことを検知することができる。
なお、本例の色提示装置１０は、加速度センサを搭載している。
【００２０】
（他の色提示装置１０との通信方法）
複数の色提示装置１０の通信方法には、非接触通信型又は接触通信型がある。非接触通信型の場合、具体的には無線通信であり、例えば、Ｗｉ−Ｆｉ、Ｂｌｕｅｔｏｏｔｈ（登録商標）、又は、赤外線通信等の既存の無線通信手段を採用することができる。本例の色提示装置１０は、他の色提示装置１０と非接触の無線通信で色情報の送受信を行う。
【００２１】
図３は、色提示装置１０のハードウエア構成を例示する図である。
図３に例示するように、色提示装置１０は、既定の色に発光する発光デバイスである。色提示装置１０は、筐体１００、発色発光部１０２、バッテリー１０４、振動モータ１０６、モータドライバ１０８、加速度センサ１１０、及び、マイクロコンピュータ１１２（マイコン１１２）を有する。
【００２２】
筐体１００は、透光性のある材料で形成された外装である。加えて、筐体１００は、例えば、白色（乳白色を含む）、透明、又は半透明の材料で形成されている。本例の筐体１００は、透光性のある白色の合成樹脂材で形成されている。これにより、筐体１００は、後述する発色発光部１０２が発色する色の光を全体で提示することができる。
また、筐体１００の形状は、柱体（角柱、円柱）又は球体の形状に形成されている。筐体１００は、色提示装置１０同士が互いに通信を行うトリガーとなる操作を検知できるのであれば形状は問わない。また、例えば学齢児童が扱うこと等を考慮すると、安全な形状である点、及び、持ちやすい形状である点を有することが好ましい。具体的には、筐体１００の形状は、全体的に角のない形状、つまり球体形状又は円柱形状が好ましい。なお、本例の筐体１００は、球体の形状である。
【００２３】
発色発光部１０２は、既定の色情報に対応する色を発色し、発色した色の光を発する光源である。発色発光部１０２は、例えば、発光ダイオード（ＬＥＤ）又は有色電球である。本例の発色発光部１０２は、少なくとも赤色、緑色及び青色のＬＥＤが配列されている。発色発光部１０２は、出力されたＲＧＢ値を示す制御信号に基づいて、各ＬＥＤが点灯する。これにより、発色発光部１０２は、例えば、赤色 （red）、赤紫色（Magenta）、青色 （Blue）、青緑色（Cyan）緑色 （Green）、黄色（Yellow）又は白色（White）に発色する色の光を発する。
なお、発色発光部１０２は、本発明に係る発色部の一例である。
【００２４】
バッテリー１０４は、発色発光部１０２、振動モータ１０６、モータドライバ１０８、加速度センサ１１０、及び、マイコン１１２に電力を供給する電池であり、例えば、一次電池又は二次電池である。
【００２５】
振動モータ１０６は、後述する加速度センサ１１０により検知された既定の加速度値に基づいて、振動を発生させるモータである。
モータドライバ１０８は、振動モータ１０６の駆動制御を行う装置である。モータドライバ１０８は、例えば、振動モータ１０６に流す電流の量、電流の方向、電流を流すタイミング等を制御する。本例のモータドライバ１０８は、加速度センサ１１０により既定の加速度値を検知したタイミングで、振動モータ１０６に流す電流の量や電流の方向を制御する。
【００２６】
加速度センサ１１０は、色提示装置１０の加速度を計測する計測器機である。本例の加速度センサ１１０は、他の色提示装置１０との物理的な接近検知、及び、物理的な操作検知に用いられる。
【００２７】
マイクロコンピュータ１１２（マイコン１１２）は、後述する混合色提示プログラム３００がインストールされた電子部品である。マイコン１１２は、自他の色提示装置１０の色情報に基づいて、混色した色のＲＧＢ値を示す制御信号を、発色発光部１０２に対して出力し既定の色の光を発光させる。
【００２８】
図４は、混合色提示プログラム３００の機能構成を例示する図である。
図４に例示するように、混合色提示プログラム３００は、接近検知部３０２、色情報送出部３０４、色情報取得部３０６、色決定部３０８、色変更部３１０、操作検知部３１２、発色モード判定部３１４、発色制御部３１６、及び、モータ制御部３１８を有する。混合色提示プログラム３００は、例えばCD-ROMなどの記録媒体を介して、マイコン１１２にインストールされたコンピュータプログラムである。
【００２９】
接近検知部３０２は、他の色提示装置１０と基準値以上に接近したことを検知する。接近したと検知する基準値とは、例えば、色提示装置１０Ａ及び色提示装置１０Ｂが接触する距離であってもよいし、僅かに離間した距離（２ｃｍ〜３ｃｍ程度）であってもよい。また、ユーザが両手に持った時の離間距離（３０ｃｍ程度）であってもよい。なお、本例の基準となる距離は、自他の色提示装置１０が接触する距離である。
本例の接近検知部３０２は、色提示装置１０Ａ及び色提示装置１０Ｂを互いに接触させた時の加速度センサ１１０による入力値に基づいて、２つの色提示装置１０が互いに接近したことを検知する。
なお、接近検知部３０２は、本発明に係る検知部の一例である。
【００３０】
色情報送出部３０４は、接近検知部３０２により、接近が検知された時を基準とした既定のタイミングで、発色発光部１０２が発色する色の色情報を、外部に対して送出する。ここで、色情報とは、色光を数値化した情報であり、いわゆるＲＧＢ値である。
本例の色提示装置１０Ｂに着目すると、色提示装置１０Ｂの色情報送出部３０４は、色提示装置１０Ａとの接近を検知したタイミングで、色提示装置１０Ｂの発色発光部１０２が発色する青色の色情報を色提示装置１０Ａに対して送出する。
なお、色情報送出部３０４は、本発明に係る送出部の一例である。
【００３１】
色情報取得部３０６は、色情報を外部から取得する。具体的には、色情報取得部３０６は、他の色提示装置１０から送出された、他の色提示装置１０の発色発光部１０２が発色する色の色情報を取得する。本例の色提示装置１０Ａに着目すると、色提示装置１０Ａの色情報取得部３０６は、色提示装置１０Ｂから送出された、色提示装置１０Ｂの発色発光部１０２が発色する青色の色情報を取得する。
なお、色情報取得部３０６は、本発明に係る取得部の一例である。
【００３２】
図５は、加法混色を例示する図であり、図５（Ａ）は発光波長の混色を例示する図であり、図５（Ｂ）は混色計算式を例示する図である。
色決定部３０８は、発色発光部１０２が発色している色に対応する色情報と、色情報取得部３０６により取得された外部の色情報とに基づいて、変更先の色情報を決定する。色決定部３０８は、変更先の色情報を決定する場合、図５（Ａ）に例示する混色図、又は、混色図をまとめた表やテーブルを参照してもよいし、図５（Ｂ）に例示する混色計算を行って混色のＲＧＢ値を算出してもよい。
本例の色提示装置１０Ａに着目すると、色提示装置１０Ａの色決定部３０８は、色提示装置１０Ａの発色発光部１０２が発色している赤色の色情報と、取得した色提示装置１０Ｂの発色発光部１０２が発色している青色の色情報とに基づいて、接近検知後の色提示装置１０Ａの発色発光部１０２が発色する色情報を赤紫色（マゼンタ）として決定する。
なお、色決定部３０８は、本発明に係る色決定部の一例である。
【００３３】
色変更部３１０は、色決定部３０８により決定された変更後の色情報（色変更情報）に従って、発色発光部１０２により発色させる色を変更させる。本例の色提示装置１０Ａに着目すると、色提示装置１０Ａの色変更部３１０は、色決定部３０８により決定された赤紫色（マゼンタ）に対応する色情報に従って、自身の発色発光部１０２に発色させる色を、赤色からマゼンタに変更する。
なお、色変更部３１０は、本発明に係る色変更部の一例である。
【００３４】
操作検知部３１２は、色提示装置１０に対するユーザの物理的操作を検知する。物理的操作とは、例えば、色提示装置１０を振る操作、又は、複数の色提示装置１０を互いに接近させる操作等である。本例では、色提示装置１０を手に持ったユーザが、手に持った色提示装置１０を振ることによって、加速度センサ１１０が振る操作時における加速度値を算出し、算出された加速度値が既定値以上である場合にユーザからの物理的操作入力として検知する。
なお、操作検知部３１２は、本発明に係る操作検知部の一例である。
【００３５】
発色モード判定部３１４は、発色発光部１０２が発色している発色パターンを判定する。ここで、発色パターンとは、例えば、既定の一種類の色を連続的に発色させる一色発色（固定色モード）と、複数の色を連続的に発色させる複数発色（変色モード）とがある。固定色モードとは、例えば赤色 （red）、赤紫色（Magenta）、青色 （Blue）、青緑色（Cyan）緑色 （Green）、黄色（Yellow）又は白色（White）のうち１種類の色の光を発するモードであり、変色モードとは、例えば赤色、赤紫色、青色、青緑色、緑色、黄色、及び白色を連続的に発色する光を発するモードである。
本例の発色モード判定部３１４は、固定色モードか変色モードかを判定する。
【００３６】
発色制御部３１６は、操作検知部３１２により検知された物理的操作に基づいて、発色発光部１０２が発色する色を決定する。本例の発色制御部３１６は、操作検知部３１２により検知された物理的操作の検知結果と、発色モード判定部３１４により判定された判定結果とに基づいて、発色発光部１０２が発色する発色パターンと色とを決定する。
また、発色制御部３１６は、接近検知部３０２により検知された他の色提示装置１０と基準値以上に接近したか否かに基づいて、発色発光部１０２が発色する色を決定する。本例の発色制御部３１６は、接近検知部３０２よる接近したか否かの検知結果と、発色モード判定部３１４による判定結果とに基づいて、発色発光部１０２が発色する発色パターンと色とを決定する。
また、発色制御部３１６は、色情報取得部３０６による他の色提示装置１０の色情報の取得結果に基づいて、発色発光部１０２が発色する色を決定する。本例の発色制御部３１６は、色情報取得部３０６による色情報の取得結果と、発色モード判定部３１４による判定結果とに基づいて、発色発光部１０２が発色する発色パターンと色とを決定する。
発色制御部３１６は、固定色モードや変色モードの変更又は継続を行い、発色発光部１０２が発色する色を制御する。
なお、発色制御部３１６は、本発明に係る発色制御部の一例である。
【００３７】
モータ制御部３１８は、操作検知部３１２により検知された物理的操作に基づいて、振動モータ１０６に振動を発生させる。また、モータ制御部３１８は、接近検知部３０２により検知された色提示装置１０同士の接近に基づいて、振動モータ１０６に振動を発生させる。
【００３８】
次に混合色提示システム１における混合色提示処理（Ｓ１０）を説明する。
図６は、混合色提示システム１における混合色提示処理（Ｓ１０）を説明するフローチャートである。
まず、ユーザは、２つの色提示装置１０の電源を入れ、それぞれの混合色提示処理（Ｓ１０）を開始させる。混合色提示処理（Ｓ１０）は、色提示装置１０の電源を入れた時に処理を開始し、電源を切った時に処理を終了する。
本例では、ユーザが色提示装置１０に対して物理的操作を行って色提示装置１０に電源を入れる。
図６に例示するように、ステップ１００（Ｓ１００）において、発色制御部３１６は、電源投入時において、発色発光部１０２に例えば赤色、赤紫色、青色、青緑色、緑色、黄色、及び白色の発色光を連続的に点灯させる（変色モード）。
【００３９】
ステップ１０２（Ｓ１０２）において、操作検知部３１２は、色提示装置１０に対するユーザの物理的操作による一定の加速度の検知を行う。発色モード判定部３１４は、操作検知部３１２により物理的操作を検知した時点における、現在の発色発光部１０２の発色パターンを判定する。
発色モード判定部３１４による判定が変色モードである場合、混合色提示処理（Ｓ１０）はＳ１０４の処理に移行する。また、発色モード判定部３１４による判定が固定色モードである場合、混合色提示処理（Ｓ１０）はＳ１１０の処理に移行する。
【００４０】
ステップ１０４（Ｓ１０４）において、操作検知部３１２は、色提示装置１０に対するユーザの物理的操作を検知する。操作検知部３１２は、物理的操作の入力を検知した場合、混合色提示処理（Ｓ１０）はＳ１０６の処理に移行し、物理的操作を検知しない場合、混合色提示処理（Ｓ１０）はＳ１０８の処理に移行する。
【００４１】
ステップ１０６（Ｓ１０６）において、発色制御部３１６は、操作検知部３１２により検知した物理的操作と、発色モード判定部３１４による変色モードである旨の判定結果とに基づいて、発色発光部１０２の発色パターンを固定色モードと決定すると共に、操作検知部３１２により物理的操作を検知したタイミングにおける色を発色発光部１０２に発色させる色として決定する（固定色モードに変更）。
これにより、発色発光部１０２は、ユーザが色提示装置１０を振ったタイミングの色を連続的に点灯する。本例の色提示装置１０Ａは赤色に点灯し、色提示装置１０Ｂは青色に点灯する。
【００４２】
ステップ１０８（Ｓ１０８）において、発色制御部３１６は、操作検知部３１２による物理的操作の検知無しの検知結果と、発色モード判定部３１４による変色モードである旨の判定結果とに基づいて、発色発光部１０２の発色パターンを変色モードと決定する（変色モードの継続）。
これにより、発色発光部１０２は、継続して複数の色を連続的に点灯する。
【００４３】
ステップ１１０（Ｓ１１０）において、ユーザは、２つの色提示装置１０を互いに接近させて接触させる。
接近検知部３０２は、色提示装置１０Ａと色提示装置１０Ｂとが基準値以上に接近したことを検知する。本例の接近検知部３０２は、色提示装置１０Ａと色提示装置１０Ｂとが互いに接触する距離となれば、接近したことを検知する。接近検知部３０２が接近したことを検知した場合、混合色提示処理（Ｓ１０）はＳ１１２の処理に移行し、接近検知部３０２が接近したことを検知しない場合、混合色提示処理（Ｓ１０）はＳ１１４の処理に移行する。
【００４４】
ステップ１１２（Ｓ１１２）において、色情報送出部３０４は、２つの色提示装置１０の接近が検知された時を基準とした既定のタイミングで、発色発光部１０２が発色する色の色情報を送出する。色提示装置１０Ａは、色提示装置１０Ｂに対して赤色の色情報を送出し、色提示装置１０Ｂは、色提示装置１０Ａに対して青色の色情報を送出する。
【００４５】
ステップ１１４（Ｓ１１４）において、発色制御部３１６は、接近検知部３０２よる物理的に接近していない旨の検知結果と、発色モード判定部３１４による固定色モードである旨の判定結果とに基づいて、発色発光部１０２に発色させる発色パターンを固定色モードと決定すると共に、既定色を連続的に発色させる（固定色モードの継続）。これにより、発色発光部１０２は、継続して既定色を連続的に点灯する。本例の色提示装置１０Ａは赤色に、色提示装置１０Ｂは青色に継続して点灯する。
【００４６】
ステップ１１６（Ｓ１１６）において、色情報取得部３０６は、一定時間内に、他の色提示装置１０から送出された色情報を取得する。色情報取得部３０６は、一定時間内に、他の色提示装置１０から送出された色情報を取得した場合、混合色提示処理（Ｓ１０）はＳ１１８の処理に移行し、色情報を取得しない場合、混合色提示処理（Ｓ１０）はＳ１２０の処理に移行する。
【００４７】
ステップ１１８（Ｓ１１８）において、色決定部３０８は、自身の色提示装置１０の色情報と、取得した他の色提示装置１０の色情報とに基づいて、混合した色を決定する。色変更部３１０は、決定した混合色の色情報に従って、発色発光部１０２に発色させる色を変更する。これにより、発色発光部１０２は、変更前の色から変更後の混合色に切り替わって発色する。本例の色提示装置１０Ａは赤色からマゼンタに、色提示装置１０Ｂは青色からマゼンタにそれぞれ切り替わって点灯する。
【００４８】
ステップ１２０（Ｓ１２０）において、発色制御部３１６は、発色モード判定部３１４による固定色モードである旨の判定結果と、色情報取得部３０６による色情報を取得しない旨の取得結果とに基づいて、発色発光部１０２の発色パターンを変色モードと決定すると共に、複数の色を連続的に発色させる（変色モードに変更）。
これにより、発色発光部１０２は、既定色の発色から複数色の発色に切り替わって複数色を連続的に点灯する。
【００４９】
ステップ１２２（Ｓ１２２）において、発色制御部３１６は、発色モード判定部３１４による固定色モードである旨の判定結果と、色情報取得部３０６による色情報を取得した旨の取得結果とに基づいて、発色発光部１０２が発色する色を固定色モードと決定すると共に、発色発光部１０２に混合色を点灯させる（固定色モードの継続）。
このように、２つの色提示装置１０を操作しながら、色光の原理を直感的に提示することが可能であり、学齢児童でも利用することができる。
以上説明したように、本実施形態の混合色提示システム１によれば、絵の具を混色するかのように、色光の混色を行うことができる。これにより、加法混合の例や色度図などを記した書籍と併用し、実際に操作しながら色光の原理を学習することができる。
【００５０】
［変形例１］
次に、上記実施形態の変形例１を説明する。
上記実施形態の色提示装置１０では、物理的に接近したことを自動的に検知するセンサを搭載した場合を説明したが、変形例１の色提示装置１０では、ユーザが他の色提示装置１０の接近検知を行う起点を与える場合を説明する。
図７は、変形例１における他の色提示装置１０の接近検知方法を例示する図である。
図７（Ａ）に例示するように、色提示装置１０は、プッシュ型センサを搭載している。ユーザによる手動操作でプッシュ型センサを押すことにより、色提示装置１０は他の色提示装置１０の接近検知を行う。
また、図７（Ｂ）に例示するように、通信機能付きクレードルに色提示装置１０を載置し、自他の色提示装置１０を載置したタイミングで、他の色提示装置１０を検知してもよい。このとき、他の色提示装置１０との色情報の送受信も同時に行ってもよい。
【００５１】
［変形例２］
次に、上記実施形態の変形例２を説明する。
変形例２の色提示装置１０では、カメラ、色センサ、又は、光センサ等を用いて、例えば机や壁等の身の回りに存在する物体から色情報を取得し（測色モード）、取得した色情報に基づいて発色する。さらに、色提示装置１０は、測色した色情報に対応する色と自機の発色する色とを混合することができるデバイスである。
本例の色提示装置１０は、上記実施形態の色提示装置１０のハードウエア構成（図３）に、物体の色情報を取得する光センサ１１４と、ユーザの物理的操作で入／切を行う入力部１１６とをさらに有する構成をとる。
光センサ１１４は、既存の光センサを用いることができる。これにより、本例の色提示装置１０は、物体から色情報を取得することができる。
入力部１１６は、例えばユーザの物理的操作で入／切を行うスイッチである。
【００５２】
図８は、変形例２における色提示装置１０の機能構成を例示する図である。なお、本図に示された各構成のうち、図４に示された構成と実質的に同一のものには、同一の符号が付されている。
図８に例示するように、変形例１の混合色提示プログラム３００は、図４の混合色提示プログラム３００に、測色部３３０、発色提示判定部３３２、発色モード変更部３３４、色情報取得モード判定部３３６、及び、混色モード判定部３３８を追加した構成をとる。
【００５３】
色決定部３０８は、測色部３３０（後述）により測色した色情報と、測色した色提示装置１０の発色発光部１０２が発色している色に対応する色情報とに基づいて、発色発光部１０２に発色させる色情報を決定する。
【００５４】
発色制御部３１６は、発色提示判定部３３２（後述）による発色提示可能であるか否かの判定結果に基づいて、発色発光部１０２が発色する色を決定する。発色制御部３１６は、発色提示可能であると判定した場合、測色部３３０により測色した色情報に対応する色を発色発光部１０２が発色する色として決定する。
【００５５】
測色部３３０は、色提示装置１０の外部の色を測色する。測色部３３０は、光センサ１１４により取得した発色光を測定し、ＨＳＶ値からＲＧＢ値に変換する。
【００５６】
発色提示判定部３３２は、測色部３００により測色された色情報が発色可能であるかを判定する。具体的には、発色提示判定部３３２は、ＲＧＢ色の各ＬＥＤで提示できない範囲の色か否かを判定する。例えば、発色提示判定部３３２は、測色された色情報が黒色である場合は、発光発色部１０２に発色させることができないと判定する。
【００５７】
発色モード変更部３３４は、発色提示判定部３３２による判定結果に基づいて、測色モードから特殊モードへの移行、または、特殊モードから測色モードへの移行を行う。
【００５８】
色情報取得モード判定部３３６は、色情報を取得する取得パターンを判定する。色情報取得モード判定部３３６は、測色部３３０により自身の色提示装置１０の外部の色を測色して色情報を取得する測色モード（光センサ入力モード）か否かを判定する。
【００５９】
混色モード判定部３３８は、測色した色情報を混色する混色パターンか否かを判定する。具体的には、混色モード判定部３３８は、測色部３３０による測色した色情報と、測色をした自機の発色発光部１０２で発色している色の色情報とを混色する混合モード否かを判定する。
【００６０】
次に、本例の色提示装置１０を測色した色を提示する提示方法を説明する。
図９は、変形例２の色提示装置１０における測色入力処理（Ｓ３０）を説明するフローチャートである。
測色入力処理（Ｓ３０）は、ユーザが色提示装置１０の入力部１１６による入力操作後に本処理を開始する。
図９に例示するように、ステップ３００（Ｓ３００）において、色情報取得モード判定部３３６は、操作検知部３１２によりユーザのスイッチ入力操作を検知した時点における、現在の色情報を取得する取得パターンを判定する。具体的には、色情報を取得する取得パターンが測色モード（光センサ入力モード）か否かを判定する。
色情報取得モード判定部３３６は測色モードであると判定した場合、測色入力処理（Ｓ３０）はＳ３０２に移行する。色情報取得モード判定部３３６は測色モードでないと判定した場合、測色入力処理（Ｓ３０）は、本処理を終了する。
【００６１】
ステップ３０２（Ｓ３０２）において、ユーザは、色提示装置１０の光センサ１１４を例えば壁や机等に接触させる。
測色部３３０は、色提示装置１０の外部の色を測色する。測色部３３０は、光センサ１１４により取得した発色光を測定し、ＲＧＢ値を算出する。
【００６２】
ステップ３０４（Ｓ３０４）において、発色提示判定部３３２は、測色部３３０により測色された色情報に対応する色がＲＧＢ色のＬＥＤで発色提示可能であるか否かを判定する。発色提示可能な色である場合、測色入力処理（Ｓ３０）はＳ３０６に移行し、発色提示不可能な色である場合、測色入力処理（Ｓ３０）はＳ３０８に移行する。
【００６３】
ステップ３０６（Ｓ３０６）において、発色制御部３１６は、発色提示判定部３３２による発色提示可能である旨の判定結果に基づいて、測色部３３０により測色した色情報に対応する色を発色発光部１０２の発色する色として決定する。これにより、発色発光部１０２は、測色した色を発色する。
【００６４】
ステップ３０８（Ｓ３０８）において、発色モード変更部３３４は、発色提示判定部３３２による発色提示不可能である旨の判定結果に基づいて、測色モードから特殊モードへの移行を行う。
ステップ３１０（Ｓ３１０）において、発色制御部３１６は、発色提示判定部３３２による発色提示不可能である旨の判定結果に基づいて、発色発光部１０２を七色に発色させながら点滅発光させる。これにより、ユーザにエラー通知を行う。
【００６５】
次に、測色した色と色提示装置１０自身の発色する色とを混色し、混色した色を提示する提示方法を説明する。
図１０は、変形例２の混合色提示システム１における測色入力混合色提示処理（Ｓ５０）を説明するフローチャートである。
測色入力混合色提示処理（Ｓ５０）は、ユーザが色提示装置１０の入力部１１６による入力操作後に本処理を開始する。
図１０に例示するように、ステップ５００（Ｓ５００）において、混色モード判定部３３８は、操作検知部３１２によりユーザのスイッチ入力操作を検知した時点における、現在の混色パターンを判定する。具体的には、測色した色情報を混色する混色モードか否かを判定する。
測色した色情報を混色する混色モードである場合、測色入力混合色提示処理（Ｓ５０）はＳ５０２に移行し、測色した色情報を混色する混色モードでない場合、本処理を終了する。
【００６６】
ステップ５０２（Ｓ５０２）において、ユーザは、色提示装置１０の光センサ１１４を例えば壁や机等に接触させる。測色部３３０は、色提示装置１０の外部の色を測色する。測色部３３０は、光センサ１１４により取得した発色光を測定し、ＲＧＢ値を算出する。
【００６７】
ステップ５０４（Ｓ５０４）において、色決定部３０８は、測色部３３０により測色した色情報と、自身の色提示装置１０の色情報とに基づいて、発色発光部１０２に発色させる色情報に対応する色を決定する。
【００６８】
ステップ５０６（Ｓ５０６）において、発色提示判定部３３２は、色決定部３０８により決定された色情報に対応する色がＲＧＢ色のＬＥＤで発色提示可能であるか否かを判定する。発色提示可能な色である場合、測色入力混合色提示処理（Ｓ５０）はＳ５０８に移行し、発色提示不可能な色である場合、測色入力混合色提示処理（Ｓ５０）はＳ５１０に移行する。
【００６９】
ステップ５０８（Ｓ５０８）において、色変更部３１０は、色決定部３０８により決定された混合色に変更する。これにより、発色発光部１０２は、変更前の色から変更後の混合色に切り替わって発色する。
【００７０】
ステップ５１０（Ｓ５１０）において、発色モード変更部３３４は、発色提示判定部３３２による発色提示不可能である旨の判定結果に基づいて、測色モードから特殊モードへの移行を行う。
ステップ５１２（Ｓ５１２）において、発色制御部３１６は、発色提示判定部３３２による発色提示不可能である旨の判定結果に基づいて、発色発光部１０２を七色に発色させながら点滅発光させる。これにより、ユーザにエラー通知を行う。
【００７１】
このように、変形例２では、光センサを介して机や壁などの身の回りに存在する物体の色の色情報を取得し、これらの色情報に対応する色に色提示装置１０を発色させると共に、混色する材料とすることができる。これにより、身近な色を混ぜるとどのように変化するかを学習しやすくなる。
【符号の説明】
【００７２】
１…混合色提示システム
１０…色提示装置
１０２…発色発光部
１０４…バッテリー
１０６…振動モータ
１０８…モータドライバ
１１０…加速度センサ
１１２…マイクロコンピュータ
３００…混合色提示プログラム
【図１】
2020021019.tif 000003
【図２】
2020021019.tif 000004
【図３】
2020021019.tif 000005
【図４】
2020021019.tif 000006
【図５】
2020021019.tif 000007
【図６】
2020021019.tif 000008
【図７】
2020021019.tif 000009
【図８】
2020021019.tif 000010
【図９】
2020021019.tif 000011
【図１０】
2020021019.tif 000012